(57)【要約】      （修正有）【課題】屋外に設置する精米設備において、建屋の存在を目立たせることを課題とする。【解決手段】建屋を仕切壁で前側の客室と後側の機械室に仕切る建屋式の精米設備において、前後方向に客室と機械室の側方に跨って前後方向に延びる樹脂製の横看板を取り付ける横看板取付け体を、前後方向に延びて建屋の前柱２６と後柱２７を連結する上柱２８の外側面に取り付けたことを特徴とする。【選択図】図１０
2017115362.tif 000002
【特許請求の範囲】
【請求項１】
建屋を仕切壁で前側の客室と後側の機械室に仕切る建屋式の精米設備において、
前後方向に客室と機械室の側方に跨って前後方向に延びる樹脂製の横看板を取り付ける横看板取付け体を、前後方向に延びて建屋の前柱と後柱を連結する上柱の外側面に取り付けたことを特徴とする建屋式の精米設備。
【請求項２】
上柱の上面に吊上げ用のフックを取り付けたことを特徴とする請求項１記載の建屋式の精米設備。
【請求項３】
横看板の上端は、上柱の上面と略同じ高さに形成したことを特徴とする請求項２記載の建屋式の精米設備。
【請求項４】
上柱の後端部を後柱より後方に突出させ、上柱の後端部の下面に固定用のフックを取り付けたことを特徴とする請求項１から請求項３いずれか記載の建屋式の精米設備。
【発明の詳細な説明】
【技術分野】
【０００１】
本発明は、不特定多数の利用者が利用する建屋式の精米設備に関する。
【背景技術】
【０００２】
特許文献１には、建屋式の精米設備が記載されている。
【先行技術文献】
【特許文献】
【０００３】
【特許文献１】特許４５２５４４５号公報
【発明の概要】
【発明が解決しようとする課題】
【０００４】
建屋は屋外に設置するので、建屋の存在を目立たせることが望ましい。
【課題を解決するための手段】
【０００５】
かかる課題を解決するために、請求項１記載の発明は、
建屋を仕切壁で前側の客室と後側の機械室に仕切る建屋式の精米設備において、前後方向に客室と機械室の側方に跨って前後方向に延びる樹脂製の横看板を取り付ける横看板取付け体を、前後方向に延びて建屋の前柱と後柱を連結する上柱の外側面に取り付けたことを特徴とする建屋式の精米設備とする。
【０００６】
これにより、前後に長い樹脂製の横看板を良好に取り付けることができ、建屋の存在を周辺から視認させ易くすることができる。
【０００７】
請求項２記載の発明は、
上柱の上面に吊上げ用のフックを取り付けたことを特徴とする請求項１記載の建屋式の精米設備とする。
【０００８】
これにより、建屋をトラックの荷台に搭載して運搬する時、クレーン等で建屋を吊り上げ、吊降ろし作業をしやすくすることができる。
【０００９】
請求項３記載の発明は、
横看板の上端は、上柱の上面と略同じ高さに形成したことを特徴とする請求項２記載の建屋式の精米設備とする。
【００１０】
これにより、吊上げ用のフックを使った建屋の吊り上げ、吊降ろし作業に横看板が邪魔にならない。
【００１１】
請求項４記載の発明は、
上柱の後端部を後柱より後方に突出させ、上柱の後端部の下面に固定用のフックを取り付けたことを特徴とする請求項１から請求項３いずれか記載の建屋式の精米設備とする。
【００１２】
これにより、建屋をトラックの荷台に搭載して運搬する時、ロープ等を固定用のフックに引っ掛けることで、建屋を荷台に位置固定できる。
【発明の効果】
【００１３】
本発明により、建屋の外観の存在を目立たせることができる。また、上柱を合理的に利用して各種部品を取り付けることができる。
【図面の簡単な説明】
【００１４】
【図１】正面から見た客室を示す図
【図２】平面から見た精米設備の内部を説明する図
【図３】精米設備の作業工程図
【図４】建屋の正面図
【図５】建屋の側面図
【図６】平面から見た建屋の部分を示す図
【図７】後看板を外した建屋の背面図
【図８】横看板の取り付け構成を示す部分側断面図
【図９】横看板用取り付けフレームの取り付けを示す斜視図
【図１０】建屋の柱構造を示す斜視図
【図１１】建屋の柱構造を示す斜視図
【図１２】側面から見た建屋の後部を示す部分図
【図１３】背面から見た建屋を示す部分図
【図１４】側面から見た建屋を締めず部分図
【図１５】屋根の形状を示す斜視図
【発明を実施するための形態】
【００１５】
本発明の実施の形態の精米設備について、以下説明する。
【００１６】
建屋１を仕切壁２で利用者が出入りする客室３と装置各部を配置する機械室４に仕切る。
【００１７】
客室３側には、利用者が持参した玄米を投入する投入ホッパ５と、投入ホッパ５の投入口を開閉する昇降式の開閉扉６と、利用者が精白度を選択する精白度選択スイッチ７と、料金投入口８と、釣銭返却口９と、精米運転の状況を表示する表示画面１０と、精米処理された精白米を収容する白米タンク１１を設ける。
【００１８】
機械室４側には、投入ホッパ５内に投入された玄米を繰り出すロータリバルブ１２と、玄米に混じる石を除去する石抜機１３と、石抜きされた玄米を精米処理する精米機１４を備える。また、ロータリバルブ１２で繰り出された玄米を石抜機１３に玄米を供給する第一昇降機１５と、石抜機１３で石抜き処理された玄米を精米機１４に供給する第二昇降機１６を設ける。また、精米機１４で精米処理された精白米を収容する白米タンク１１を備える。
【００１９】
次に建屋１の外観について説明する。
【００２０】
建屋１の正面には、利用者が客室３を出入りするための客室扉２１を設け、建屋の側壁２２には管理者が機械室２を出入りするための機械室扉２３を設ける。建屋１の屋根２４は客室扉２１より前側に突出し、屋根２４の前端部は屋根２４よりも上方に延びる軒部２５を形成し、軒部２５の前側は前看板Ｋ１を設ける。
【００２１】
建屋１の側壁２２の上側には横看板Ｋ２を設け、屋根２４の後端部から設定距離離間する位置に後看板Ｋ３を設ける。後看板Ｋ３の下端部は屋根２４よりも下方に位置して後壁１９と対向し、後看板Ｋ３の上端は屋根よりも上方に位置する。
【００２２】
屋根２４は図１５に示すように連続する凹凸状を折板状に形成し、その前端部を軒部２５の背面に接続し、その後端部は建屋１の後壁１９より後方まで延びている。そして、屋根２４前端部から後端部に向かって後斜め下がり姿勢に構成している。
【００２３】
次に建屋１の柱構成について説明する。
【００２４】
左右一対の前柱２６及び後柱２７を設ける。前柱２６の上端部と後柱２７の上端部を前後方向に延びる左右一対の上柱２８でそれぞれ連結する。上柱２８は、前柱２６より前方に突出し、その前端部を軒部２５の背面に連結している。
【００２５】
前柱２６の下端部と後柱２７の下端部を前後方向に延びる左右一対の下柱２９でそれぞれ連結する。
【００２６】
上柱２８の途中部と下柱２９の途中部を第一中間上下フレーム３０及び第二中間上下フレーム３１でそれぞれ連結する。左右の上柱２８の後端を後左右フレーム２０で連結する。左右の上柱２８の中間部を第一中間左右フレーム３３と第二中間左右フレーム３４と第三中間左右フレーム３５でそれぞれ連結する。第一中間上下フレーム３０及び第一中間左右フレーム３３は連結し、機械室２内の略前後方向の中間に設けて正面視で門構えに構成している。
【００２７】
第二中間上下フレーム３１と第二中間左右フレーム３４は連結し、正面視で門構えに構成し、仕切壁２の外周を支持する構成である。第三中間左右フレーム３５と前柱２６に連結し、正面視で門構えに構成している。
【００２８】
下柱２９間は、機械室床３６と客室床３７で連結している。
【００２９】
第一中間上下フレーム３０と第二中間上下フレーム３１や、第二中間上下フレーム３１と前柱２６等を補強フレームｈで連結する。補強フレームｈは図１０に図示されているが、全ての補強フレームｈについての説明は省略する。
【００３０】
次に看板の取り付け構造について説明する。
【００３１】
前看板Ｋ１を取り付ける軒部２５は平面視でコ型に形成され、左右後部２５ａを前柱２６の前面に取り付ける構成である。軒部２５の前面２５ｂに前看板取り付けプレート４０を取りつける。本実施の形態の前看板Ｋ１は電飾看板であり、前看板取付けプレート４０には電飾用の部材４１を取り付けている。前看板Ｋは軒部２５の左右幅略全体にわたって覆う構成とし、その上部をアーチ状に形成している。前看板取り付けプレート４０及び軒部の前面２５ｂも前看板Ｋ１の形状に沿う形状に形成している。
【００３２】
後看板Ｋ２は、左右の後柱２７からそれぞれ後方に突出する後看板取り付けプレート４２で支持されている。後看板支持プレート４２は左右の後柱２７にそれぞれ取り付ける基部４２ａと、後方に突出する突出部４２ｂと、突出部４２ｂの後端から左右方向に延びる後看板取り付け部４２ｃで構成している。
【００３３】
後看板Ｋ３の上端部は屋根２４より高い位置にあり、下端部は屋根より低い後壁１９と対向する位置にある。そして、後看板Ｋ３の背面と屋根２４の後端部は離間して対向する構成としている。後看板Ｋ３の左右方向は屋根２４と略同じ幅に形成している。
【００３４】
前柱２６と第一中間上下フレーム３０に亘って前後方向に延びる第二上柱５０を上柱２８の下部に取り付ける。横看板Ｋ２を取り付ける横看板用取り付けフレーム５１を上柱２８の外側面と横看板用取り付けフレーム５１の外側面に亘って覆うように取り付ける。横看板Ｋ２の上端は上柱２８の上端と面位置を略合わせている。そして、横看板Ｋ２は客室３及び機械室４の側方に亘って上柱２８に沿う姿勢に配置される。横看板Ｋ２は、前後方向に長い長方形状に形成され、その上端部を上柱２８の上面と略同じ面位置としている。
【００３５】
次に、フックの取り付け構成について説明する。
【００３６】
吊上げ用フック４４は上柱２８の上面に前後方向に複数取り付けている。本実施の形態では前後方向に２つ設けており、一つは第一中間左右フレーム３４の位置に設け（後吊上げ用フック４４ａ）ており、もう一つは第二中間左右フレーム３４と第三中間左右フレーム３５の間の位置に設け（前吊上げ用フック４４ｂ）ている。すなわち、機械室４の前後方向中間位置と、客室３の前後方向中間位置に設けており、建屋１の輸送時にトラックの荷台への積み下ろし時にクレーン等（図示せず）で吊り上げる際に前後バランスが良好であり、積み下ろし作業がし易い。
【００３７】
本実施の形態の固定用フック４５は前後方向に２つ設けており、一つは上柱２８の後端部の下面に設け（後固定用フック４５ａ）、もう一つは軒部２５の下面に設け（前固定用フック４５ｂ）ている。
【００３８】
そのため、トラックの荷台（図示せず）に建屋１を搭載し、運搬するときに、ロープを固定用フック４５に掛けて前後から荷台に固定できるので、安全にトラックで運搬できる。また、固定用フック４５はナット４５ｃで着脱可能に構成することで、建屋１を目的まで運搬した後は固定用フック４５を外すことで、建屋の外観を良好にすることができる。
【００３９】
また、横看板Ｋ２の上端部を上柱２８の上面と略同じ面位置としていることで、横看板Ｋ２が吊上げ用フック４４を使って建屋１の吊り上げ吊り下げ作業時に邪魔にならない。
【００４０】
以下、本実施の形態の精米設備の建屋の屋根に降った雨水の処理について述べる。
【００４１】
屋根２４に降った雨水は、後傾斜姿勢の屋根２４に沿って、後方に流れる。そして、屋根の後端部から排出された雨水は、後看板Ｋ３又は後看板支持プレート４２に当接して、下方に落下排水される。
【００４２】
そのため、雨水を確実に落下排水することができ、建屋１に隣接する他の建屋や構造物に雨水がかかり難い。また、屋根２４の後端部は後壁１９より後方に位置するため、建屋１の後壁１９に屋根から落下する雨水がかかり難くなり、後壁１９の腐食の進行をし難くすることができる。また、後壁１９に設けている換気扇５４に雨水がかかり難くすることができる。また、屋根２４の前端部は前看板Ｋ１を取り付ける軒部２５が屋根２４よりも上方に突出しているので屋根２４に降った雨水が客室３に出入りする利用者にかかるのを防止できる。
【００４３】
本実施の形態では前看板Ｋ１のみが電飾看板であるが、横看板Ｋ２、後看板Ｋ３を電飾看板にすることが可能である。また、本実施の形態の前看板Ｋ１、横看板Ｋ２、後看板Ｋ３のいずれもが樹脂製で、看板を立体的に形成しているので、周囲から目立ちやすくすることができる。
【符号の説明】
【００４４】
１  建屋
２  仕切壁
３  客室
４  機械室
２１  客室扉
２２  側壁
１９  後壁
２４  屋根
２５  軒部
２６  前柱
２７  後柱
２８  上柱
３６  機械室床
３７  客室床
４０  前看板取付けプレート
４２  後看板取付けプレート
４４  吊上げ用フック
４５  固定用フック
５１  横看板用取り付けフレーム
Ｋ１  前看板
Ｋ２  横看板
Ｋ３  後看板
【図１】
2017115362.tif 000003
【図２】
2017115362.tif 000004
【図３】
2017115362.tif 000005
【図４】
2017115362.tif 000006
【図５】
2017115362.tif 000007
【図６】
2017115362.tif 000008
【図７】
2017115362.tif 000009
【図８】
2017115362.tif 000010
【図９】
2017115362.tif 000011
【図１０】
2017115362.tif 000012
【図１１】
2017115362.tif 000013
【図１２】
2017115362.tif 000014
【図１３】
2017115362.tif 000015
【図１４】
2017115362.tif 000016
【図１５】
2017115362.tif 000017